(57)【要約】【課題】  海釣りで遠投をする時の飛び出しを自動化し調整できる自動飛び出し付トップガイドを提供する。【解決手段】  釣竿の先端に取り付けられる釣り糸路を有する基盤の前部に、釣り糸路を有する飛び出し盤を回転可能に取り付け、基盤の糸路を横断する方向に釣り糸路を有する静止具を回転可能に設け、上記釣り糸路は遠投以外は釣り糸が解放状態にあり，遠投時は上記静止具を回転させ釣り糸路を通っている釣り糸を峡部に押し込み保持手段で保持し、上記飛び出し盤の回転で上記保持手段が解除され自動で仕掛けが飛び出して行く自動飛び出し付トップガイド。【選択図】    図１２
2019041770.tif 000002
【特許請求の範囲】
【請求項１】
釣竿の先端に取り付けられる釣り糸路を有するトップガイド基盤と上記トップガイド基盤に回動可能に取り付けられた釣り糸路を有する上記トップガイド基盤に上記釣り糸路を横断する方向に移動可能に設けられ上記釣り糸路に直通する釣り糸路を有する静止具と上記静止具を飛び出し方向に助力するバネと 上記静止具の押し込み状態を保持する保持手段とを備え 上記静止具を押し込んだ状態を上記保持手段で保持して釣り糸の繰り出しを規制した状態とし仕掛けを遠投する事により上記飛び出し盤が上記保持手段による保持を解除して釣り糸の繰り出しを可能にした事を特徴とする自動飛び出し付トップガイド。
【請求項２】
請求項1 記載の自動飛び出し付トップガイドに於いて 上記保持手段は上記静止具に取り付けられた飛び出し調整板と上記飛び出し調整板に係合して上記静止具の押し込み状態を保持する静止具ロック板とから構成されている事を特徴とする自動飛び出し付トップガイド。
【請求項３】
請求項2 記載の自動飛び出し付トップガイドに於いて上記飛び出し調整板に対する上記静止具ロック板の契合量を調整する事により飛び出しのタイミングを調整する事を特徴とする自動飛び出し付トップガイド。
【請求項４】
請求項2  又は 請求項3 記載の自動飛び出し付トップガイドに於いて上記静止具ロック板の上記基盤に対する押し付け圧力を調整することにより飛び出しのタイミングを調整する事を特徴とする自動飛び出し付トップガイド。
【請求項５】
請求項1 記載の自動飛び出し付トップガイドに於いて基盤の糸路に直通する釣り糸路を有する静止具による釣り糸の押し込み状態を両脇に抱え込むようにして挟持し静止状態を保つ自動飛び出し付トップガイド。
【請求項６】
釣竿の先端に取り付けられる糸路を有するトップガイド基盤と上記トップガイド基盤に支点軸で回転可能に取り付けられた糸路を有する飛び出し盤と上記基盤の糸路に直通する糸路を有する静止具を緩めに回転可能に設け、上記静止具を飛び出し方向に助力する引っ張りバネを設け、上記静止具を釣り糸の保持方向へ回転させ保持手段で保持し、仕掛けの遠投での飛び出し盤の回転で、釣り糸の保持が解除手段により解除され、釣り糸の繰り出しが上記引っ張りバネにより維持される事を特徴とする自動飛び出し付トップガイド。
【請求項７】
請求項６記載の自動飛び出し付トップガイドに於いて、上記釣り糸の保持手段は上記静止具に取り付けられたロックピン受具に設けたロックピン受溝を設けた回転面にロックピン付具のロックピンが押しバネにより押し当てられ上記静止具の釣り糸の保持方向への回転により、ロックピン受溝にロックピンが押し込まれ保持状態となる事を特徴とする自動飛び出し付トップガイド。
【請求項８】
請求項６又請求項７記載の自動飛び出し付トップガイドに於いて、上記釣り糸の保持の解除手段は、上記飛び出し盤に取り付けた飛び出し調整板のロック解除ピンが飛び出し盤の回転により、ロックピン付具を押下げる事によりロックピンが上記ロックピン受溝から押し出され、上記静止具が回転し釣り糸の解放状態を引っ張りバネにより維持される事を特徴とする自動飛び出し付トップガイド。
【請求項９】
請求項６又請求項８記載の自動飛び出し付トップガイドに於いて、上記ロック解除ピンが飛び出し盤の回転によるロックピン付具を押下げて仕掛けの飛び出しが決まるため、上記飛び出し盤に上記飛び出し調整板の取り付け位置を調整する事で仕掛けの飛び出しを調整ができる事を特徴とする自動飛び出し付トップガイド。
【発明の詳細な説明】
【技術分野】
【０００１】
本発明は海釣りの遠投をする時の飛び出しをトップガイドで自動にする自動飛び出し付トップガイドに関するものである  
【０００２】
近年海釣りでの遠投は市販されているトップガイドには自動飛び出し付トップガイドがなく仕掛けの飛び出しを釣り糸を指で止めて解放するタイミングを自ら考えて行っていた
【先行技術文献】
【特許文献】
【０００３】
【特許文献１】特開2103−59301号公報
【特許文献２】特開2006−11864号公報
【発明の概要】
【発明が解決しようとする課題】
【０００４】
市販されているトップガイドで釣り糸を指で止めて開放するには次のような欠点があった自分で竿を振ってから1秒くらいの間で遠投するがタイミングが早いとフライになったり 遅いと海に突き刺さったり上級者にはよいが他の人々には難しいことであった  
【０００５】
本発明はこの様な従来の問題点を解決しようとするものであり海釣りの遠投での仕掛けの飛び出しを自動化し遠投をより遠くに簡単に正確にできることを目的とする自動飛び出し付トップガイドである
【課題を解決するための手段】
【０００６】
釣り竿の先端に取り付けられる釣り糸路を有するトップガイド基盤に上記基盤に回転可能に支点軸で釣り糸路を有する飛び出し盤と、上記基盤の上記釣り糸路を横断する方向に移動可能に設けられ上記釣り糸路に直通する釣り糸路を有する静止具と、上記静止具を飛び出し方向に助力する板バネと上記静止具の押し込み状態を上記静止具に取り付けた飛び出し調整板を上記基盤上面に負荷ネジで取り付けられた静止棒ロック板で上記飛び出し調整板を押さえ込むように下にして契合する上記静止具の押し込み状態とし、釣り糸の繰り出しを静止させた事  又、遠投には上記飛び出し盤が仕掛けの遠心力で回転し飛び出し盤に設けられたロック板押しピンが負荷ネジで上記基板上面に押し付けられ負荷調整された静止具ロック板を押して飛び出し調整板との契合を解除し静止具が解放され釣り糸の繰り出しを許し仕掛けが遠方へ飛び出すことを特徴とする自動飛び出し付トップガイドである。  
【０００７】
釣り竿の先端に取り付けられる釣り糸路を有する自動飛び出し付トップガイド。 釣り糸路を有する基盤の前部に釣り糸路を有する飛び出し盤を回転可能に糸路を有した支点軸で取り付け、上記基盤の釣り糸路に直通する釣り糸路を有する静止具を回転可能に緩めに設け、上記基盤を挟んで片方の静止具部に釣り糸の解放状態を維持する為の引っ張りバネを巻き取るための引っ張りバネ巻き取り具と上記基盤を連結させ、上記静止具の小口を上記引っ張りバネ巻き取り具から５mm位出してマイナス溝を設け、上記基盤を挟んでもう片方の静止具部に釣り糸を保持するためのロックピン受溝を設けた円形のロックピン受具を取り付け、ロックピン受具を中に間隔をもって動ける用に一部にロックピンが付いているロックピン付具を設け、上記ロックピン受溝を設けたロックピン受具の円形外面に上記ロックピン付具のロックピンを押し当てるために、上記ロックピン付具に押しバネを取り付け、静止具の回転によりロックピンがロックピン受溝に押し込まれ、釣り糸の保持状態とし遠投による上記飛び出し盤の回転により、上記飛び出し盤に取り付けられたロック解除ピンによりロックピン付具がロックピンを上記ロックピン受溝から押し出され静止具が釣り糸の解放方向に回転し、釣り仕掛けが遠方に飛び出して行くことを特徴とする自動飛び出し付トップガイドである。 
【発明の効果】
【０００８】
仕掛けの遠心力の連動で飛び出し盤を回転させ静止具を作動させ釣り糸を解放させるので飛び出しが正確である。  
【０００９】
仕組みが簡単なのでトラブルが少ない  
【００１０】
静止具ロック板に負荷をかけた状態で釣り糸の繰り出しを許し仕掛けを遠投するので、遠投にタメができて飛び出しが正確である  
【００１１】
静止具が糸路で釣り糸を両脇で抱え込むようにして狭持されるので遠投での遠心力の強さに比例して釣り糸の狭持力が強くなり釣り糸の静止が正確  
【００１２】
仕掛けの飛び出しが自動なので釣り竿を振って竿を止めるタイミングだけを考えればいいので遠投が簡単  
【００１３】
押しバネで釣り糸の保持状態が維持されているので保持状態の解除に負荷がかかり安定した解除動作になる。  
【００１４】
釣り糸がZの形に保持され飛び出す方向に静止具が回転して解除されるので釣り糸に無理な負荷がかからない。  
【００１５】
仕掛けの飛び出しが釣り竿と自動飛び出し付トップガイドの飛び出し盤が一直線になり、釣り糸の保持規制が解除されるので、人間がボールを持って投げるのと同じで動きに無駄がない。
【発明を実施するための形態】
【００１６】
以下本発明を実施するための形態について説明する。図1〜図11において釣り竿の先端に取り付ける釣り糸路を有するトップガイド基盤と上記トップガイド基盤に糸路を有した支点軸で回転可能に取り付けられた釣り糸路を有する飛び出し盤と上記トップガイドを基盤に上記釣り糸路を横断する方向に移動可能に釣り糸路を有する静止具を飛び出し方向に助力する板バネ（12）の片隅を基盤山の底面にネジで取り付け もう一方を基盤の底面に当て静止具をネジで取り付けた釣り糸(19)の解放状態を維持させた自動飛び出し付トップガイド  
【００１７】
釣り糸（19）の狭持手段を説明する釣り糸（19）を狭持するため上記静止具の上部に飛び出し調整板（6）をネジで取り付け上記基盤の釣り糸路（18）を横断する方向に上記飛び出し調整板で釣り糸の解放状態を維持させている板バネ（12）を押して釣り糸を狭部に押し込み 上記釣り糸（19）の押し込み状態を維持させておくための飛び出し調整板入れ込み横に上記飛び出し調整板を押し付け静止具ロック板（9）を上記飛び出し調整板（6）の上部に契合させ静止具を静止させ釣り糸を狭持し静止状態にしたもの  
【００１８】
釣り竿を振って釣り糸の狭持が解除され仕掛け(20)が遠投されることを説明する釣り竿を振り仕掛けの（20）の遠心力で飛び出し盤の回転で上記飛び出し盤の支点部で同円形に回転している部分に取り付けている静止具ロック板押しピンで上記飛び出し調整板を後方に押して上記飛び出し調整板と静止具ロック板との契合を解除させ釣り糸を解放させ仕掛けが遠投されるもの契合量を多くして仕掛けの飛び出しを遅くしたり 少なくして早くするために飛び出し調整板の取り付けネジをゆるめて調整するものである静止具ロック板は負荷をかけないと動きが軽すぎ 飛び出しが不安定になる事を除くために設けられた静止具ロック板負荷装置である  
【００１９】
本考案の自動とび出し付トップガイドに於いて釣り糸を狭持手段で狭持力が弱くなれば釣り糸を太くしたりするが 又 狭持面を凹凸にしたり 静止具が移動して釣り糸を狭持する狭間を広くしたり狭くしたりする両面を広くしたり狭くしたりする狭持部の狭持手段  
【００２０】
本考案の自動飛び出し付トップガイドの釣り糸の狭持手段が静止具を一方向に移動させるでなく狭む方からも作動させる二方向から挟むと二分の一の長さで狭持ができ釣り糸の解放状態を保っている板バネも他の形状にしてトップガイド全体が小さくなり風の抵抗も少なく 異物の混入も少なくなりカバーも付けられる  
【００２１】
本考案の自動飛び出し付トップガイドの用途紙飛行機を空高く飛ばすのに紙飛行機に短い糸を付け自動飛び出し付トップガイドに糸を狭持させ空高く飛ばせる又 危険な場所へのロープ張りは細い糸から太くして行くので本考案では装備が簡単で竿をオーバースローに振る場所があれば100ｍ以上飛び 緊急時に使えないか  
【００２２】
本発明の実施形態について〔図１２〕にて説明する。釣り竿(21)の先端に取り付ける糸路（18）を有するトップガイド基盤（1）と上記トップガイド基盤（1）に回転可能に糸路を有した支点軸（3）で取り付けられた糸路（18）を有する飛び出し盤（2）と上記トップガイド基盤（1）に糸路（18）を有した静止具（5）を支点軸（3）より長めにし、基盤（1）の糸路（18）を直通に抜け、緩めに回転可能に設け上記基盤（1）を挟んで片方の静止具（5）部に釣り糸（19）の解放状態を維持するための引っ張りバネ（22）と巻き取るための引っ張りバネ巻き取り具（23）と基盤（1）を連結させ静止具（5）を上記引っ張りバネ巻き取り具（23）より少し出して小口に静止具（5）を回転させるためのマイナス溝を設けた静止具手動回転部である。  
【００２３】
上記基盤（1）を挟んでもう片方の静止具（5）部に釣り糸（19）のくりだしを静止させる保持手段を[図15〜図16]にて説明する。静止具（5）に円形のロックピン受具（24）を取り付け上記ロックピン受具（24）の外円面にロックピン受溝（25）を設け、ロックピン（26）を持たせたロックピン付具（27）を上記ロックピン（26）が上記ロックピン受具（24）のロックピン受溝（25）に入ってロックがかかったり、出てロックが解除したりする動作が余裕を持って出来る様に上記ロックピン受具（24）を中心に包む様に取り付け、上記ロックピン（26）をロックピン受具（24）の外円面に押し当たる様に押しバネ（28）をロックピン付具（27）に取り付け、釣り糸（19）を保持状態にするために静止具（５）のマイナス溝を利用して保持方向に回転するとロックピン受具（24）が回転し、ロックピン受溝（25）に上記ロックピン受具（24）に押し付けられているロックピン（26）が押し込まれ、釣り糸（19）が保持状態を維持する事を特徴とする自動とび出し付トップガイドである。  
【００２４】
釣り糸（19）の保持〜解放を [図13〜図19]にて説明する。釣り糸（19）の保持状態に於いて、仕掛けの遠投により上記仕掛けの遠心力で飛び出し盤（2）を回転させ、上記飛び出し盤（2）に取り付けた飛び出し調整板（6）のロック解除ピン（32）を上記ロックピン付具（27）の前面に当て、上記ロックピン付具（27）取り付けられた押しバネ（28）の力の負荷に逆らい、ロックピン（26）を押下げロックピン受具（24）のロックピン受溝（25）から解放させ、静止具（5）を釣り仕掛けの円心力と引っ張りバネ（22）の力により回転させ釣り糸のくり出しを許す開放姿勢である。ロック解除の調整は飛び出し盤（2）に取り付けられた飛び出し調整板（6）の飛び出し調整ボルト（34）のナット（33）を緩めて飛び出し盤（2）の回転によるロック解除ピン（32）の上記ロックピン付具（1）の前面に当たりを早くしたり遅くしたりを調整する事を特徴とする自動飛び出し付トップガイドである。又静止具（5）と基盤（1）に連結された引っ張りバネ（22）の力で、静止具（5）が釣り糸（19）の解放状態を維持するものである。  
【００２５】
本考案の自動飛び出し付トップガイドは中心部より左右が対称的であるため、上記自動飛び出し付トップガイドを上下裏返しても使用でき、竿の根本に取り付けるリールを上下どちらに持っても仕掛けを遠投する事が可能である。 
【図面の簡単な説明】
【００２６】
【図１】本発明の釣り糸の解放時の斜視図である
【図２】〃      釣り糸の狭持時の斜視図である
【図３】〃      釣り糸の解放時の側面図である
【図４】〃      釣り糸の狭持時の側面図である
【図５】〃      底面の切断面の表示図である
【図６】〃      （a）前面図である          〃      （b）後面図である
【図７】〃      飛び出し盤の解体図である
【図８】〃      静止具ロック板の解体図である
【図９】〃      基盤と静止具の解体図である
【図１０】〃    （a）図5の断面に仕掛けを取り付け静止具による釣り糸の狭持である（b）狭持部の拡大図である
【図１１】〃    （a）図の釣り糸の解放図である
【図１２】〃      本発明の釣り糸の解放時の斜視図である
【図１３】〃      釣り糸の解放状態を維持するバネ側の側面図である
【図１４】〃      釣り糸の保持状態を維持するバネ側の側面図である
【図１５】〃      釣り糸の解放時のロックピン側の側面図である
【図１６】〃      釣り糸の保持状態を維持するロックピン側の側面図である
【図１７】〃      釣り糸の保持状態のロックピンがロックピン受溝からはずれかけた時の側面図である
【図１８】〃      釣り糸の保持状態の上面の部分断面図である
【図１９】〃      釣り糸の解放時の上面の部分断面図である
【図２０】〃     （ａ′）図Ｄの静止具が釣り糸を保持状態の側面拡大断面図である       （ｂ′）図Ｅの静止具が釣り糸を解放状態の側面拡大断面図である
【図２１】〃      基盤の引っ張りバネ取り付け側の側面図である
【図２２】〃      基盤のロックピン取り付け側の側面図である
【図２３】〃      (ａ″)全面図である                   (ｂ″)側面図である
【図２４】〃      解体部品図である
【図２５】〃      基盤なしの半組立図である
【符号の説明】
【００２７】
(1)   基盤
(2)   飛び出し盤
(3)   支点軸
(4)   ネジ
(5)   静止具
(6)   飛び出し調整板
(7)   ネジ
(8)   負荷ネジ
(9)   静止具ロック板
(10) 連結金具
(11) 支点軸固定ネジ
(12) 板バネ
(13) 板バネ静止具連結ネジ
(14) 板バネ基盤連結ネジ
(15) ロック板押しピン
(16) 糸路補強具
(17) 釣り竿連結穴
(18) 糸路
(19) 釣り糸
(20) 仕掛け
(21) 釣り竿
(22) 引っ張りバネ
(23）引っ張りバネ巻き取り具
(24）ロックピン受具
(25）ロックピン受溝
(26）ロックピン
(27）ロックピン付具
(28）押しバネ
(29）ロックピン付具振れ止
(30）パッキン
(31）飛び出し調整穴
(32）ロック解除ピン
(33）ナット
(34）飛び出し調整ボルト
(35）押し板
【図１】
2019041770.tif 000003
【図２】
2019041770.tif 000004
【図３】
2019041770.tif 000005
【図４】
2019041770.tif 000006
【図５】
2019041770.tif 000007
【図６】
2019041770.tif 000008
【図７】
2019041770.tif 000009
【図８】
2019041770.tif 000010
【図９】
2019041770.tif 000011
【図１０】
2019041770.tif 000012
【図１１】
2019041770.tif 000013
【図１２】
2019041770.tif 000014
【図１３】
2019041770.tif 000015
【図１４】
2019041770.tif 000016
【図１５】
2019041770.tif 000017
【図１６】
2019041770.tif 000018
【図１７】
2019041770.tif 000019
【図１８】
2019041770.tif 000020
【図１９】
2019041770.tif 000021
【図２０】
2019041770.tif 000022
【図２１】
2019041770.tif 000023
【図２２】
2019041770.tif 000024
【図２３】
2019041770.tif 000025
【図２４】
2019041770.tif 000026
【図２５】
2019041770.tif 000027